(57)【要約】【課題】平面表示装置を梱包する際に、すでに組みあがった状態で梱包した場合には、梱包が非常に大きくなるため、その梱包装置に工夫を加えることにより、梱包内におけるデッドスペースを低減し、梱包の小型化を図る。【解決手段】平面状の表示部と該表示部を支える載置体とを分離した状態で梱包するものとし、前記表示部と載置体の下面とが略平行になるように収納することにより、梱包の小型化を図る。【選択図】　図１
2004123200.tif 000002
【特許請求の範囲】
【請求項１】
平面状の表示部と、該表示部が転倒しないように支えるための載置体とを有する平面表示装置を梱包する梱包装置において、
前記表示部と前記載置体とを分離した状態で、前記表示部と載置体の下面とが略平行になるよう収納することを特徴とする平面表示装置の梱包装置。
【請求項２】
前記載置体は、前記表示部の後面と対向して収容されることを特徴とする請求項１記載の平面表示装置の梱包装置。
【請求項３】
請求項１又は請求項２記載の平面表示装置の梱包装置において、
前記載置体を包装する包装体を設け、該包装体に前記載置体を組み付けるための組み付け具を内包することを特徴とする平面表示装置の梱包装置。
【請求項４】
請求項１〜請求項３のいずれか一項に記載の平面表示装置の梱包装置において、
前記平面表示装置の後面を鉛直下方に向けて水平になるよう載置した状態で、前記平面表示装置に前記載置体を組み付けたときに、前記載置体の後端が前記平面表示装置の後面と対向する面に対して所定の距離離間するように前記平面表示装置を支持する緩衝体を備えたことを特徴とする平面表示装置の梱包装置。
【請求項５】
請求項１〜請求項３のいずれか一項に記載の平面表示装置の梱包装置において、
前記平面表示装置の前面を鉛直下方に向けて水平になるよう載置した状態で、前記平面表示装置に前記載置体を組み付けたときに、前記載置体の前端が前記平面表示装置の前面と対向する面に対して所定の距離離間するように前記平面表示装置を支持する緩衝体を備えたことを特徴とする平面表示装置の梱包装置。
【請求項６】
請求項４または請求項５に記載の平面表示装置の梱包装置において、前記緩衝体は、前記載置体を平面表示装置に組み付ける際のガイドとなるガイド部を備えていることを特徴とする平面表示装置の梱包装置。
【発明の詳細な説明】
【０００１】
【発明の属する技術分野】
本発明は、液晶表示装置、プラズマディスプレイ装置といった、ＣＲＴ（Ｃａｔｈｏｄ　Ｒａｙ　Ｔｕｂｅ）とは異なり厚みの薄い平面表示装置の梱包装置及びその梱包方法に関するものである。
【０００２】
【従来の技術】
近年、テレビジョンやパーソナルコンピュータ用のモニター等に液晶、プラズマ発光の技術を用い、ＣＲＴ（Ｃａｔｈｏｄ　Ｒａｙ　Ｔｕｂｅ）よりも極めて薄型のディスプレイ（本発明ではこのような薄型のディスプレイを総称して平面表示装置と称する）が用いられるようになってきている。
【０００３】
このような平面表示装置６０の一般的な構成について図１６を用いて説明すると、平面表示装置６０は、主に、画像を表示する平面状の表示部５２と、表示部５２の背部に装着され水平方向を軸として表示部５２を回動させることができる回動部５３と、表示部５２が接地しないように支える所定の長さを有する棒状の脚部５４と、脚部５４に装着され平面表示装置６０を倒れないように支える載置体５５と、から形成されるものである。
【０００４】
そして、このような平面表示装置６０は、輸送の際には図１７に示すように各構成が既に組み上げられ、上下を緩衝材５６によって保護された状態で外殻５１内に収容され梱包されていた。
【０００５】
ここで、本明細書における方向的記載の定義について述べると、表示部に対し載置体が配置される方向を下方、載置体に対して表示部が配置される方向を上方、表示部に対して回動部が配置される方向を後方、回動部に対して表示部が配置される方向を前方、上下方向及び前後方向の双方に垂直な方向を側方として記載する。この定義は従来の技術に限らず、本発明の説明についても援用する。
【０００６】
一般に、載置体５５は、表示部５２が前方或いは後方に倒れることを防止するため、表示部５２の厚みよりも前後方向に長く形成されるものであり、その長さは転倒角（平面表示装置の重心から鉛直下方に引いた線と、該重心と載置体５５の前端又は後端との為す角度をいう）がおよそ１５度以上になるよう形成される。
【０００７】
従って、この載置体５５を既に組み付けた状態で梱包すると、表示部の厚みが薄いにも拘らず、載置体５５が前後方向に大きな幅を備えているため、外殻５１内に大きなデッドスペースができてしまい、梱包装置の空間効率が極めて悪いという課題があった。
【０００８】
このような課題を解決する一つの手段として、特許文献１に示される技術がある。当該文献に記載された技術は、表示部５２と載置体５５とを回転自在に装着しておき、梱包時には図１８に示すように載置体５５を表示部５２と平行になるよう回転させて梱包装置内に収容しようと言うものである。
【０００９】
【特許文献１】
特開２００２−６７６３（第２５段落、図１３）
【００１０】
【発明が解決しようとする課題】
しかしながら、特許文献１に記載された技術では、梱包状態における前後方向のデッドスペースの低減は可能であるが、それと引き替えに上下方向に長くなるという課題が生じる。
【００１１】
すなわち、上記したとおり載置体５５は所定値以上の転倒角を必要とするため、図１６のように載置体５５を平面表示装置６０に取付けた状態においては、表示部５２より相当前方に突出しなければならない。そのため、特許文献１に記載の技術のように載置体５５を表示部５２に平行になるように回転すると、載置体５５の表示部５２より前方に突出していた部分は、表示部５２の下端よりも下方に突出することにならざるを得ず、梱包装置は下方に相当長くなってしまう。
【００１２】
一般に画面は載置体５５よりある程度高い位置にあるほうが見やすいが、画面の高さを高くしようとすればするほど重心が高くなり、それに伴い載置体５５の表示部５２より前方に突出している部分の長さは長くなる必要があるため、上記の課題はさらに顕著になってしまう。また、画面が大型化すればするほど重心が高くなるため、同様にその傾向は顕著になることになる。
【００１３】
【課題を解決するための手段】
そこで、このような状況に鑑み、本発明は平面状の表示部と、該表示部が転倒しないように支えるための載置体とを有する平面表示装置を梱包する梱包装置において、前記表示部と前記載置体とを分離した状態で、前記表示部と載置体の下面とが略平行になるよう収納することを特徴とする平面表示装置の梱包装置をその構成とする。
【００１４】
このように、平面状の表示部と載置体とを分離し、略平行に配置した状態として収容すれば、ともに平面状に大きい部材である表示部と載置体とが直交する状態で収容されないため、外殻の一辺が大きくならず梱包状態におけるデッドスペースを軽減することが可能である。
【００１５】
このとき、平面表示装置は画面に傷がつくと画面の表示品位が低下するため、表示部の画面側には画面を保護する保護材を除いて、他のものを収容しないことが望ましい。
【００１６】
そこで、前記載置体が、前記表示部の後面に対向した状態で収容されるものとする。このように構成すれば、輸送中或いは開梱時に、載置体が表示部の画面に接触しないため載置体が表示部に傷をつけることがない。
【００１７】
また、載置体を取り付けない状態で梱包するということは、開梱後に使用者やサービスマンが平面表示装置を組み付ける作業を行なう必要が生じる。このとき、載置体を組み付けるための組み付け具がある場合は、載置体と道具を同じ包装体に入れておくことが望ましい。
【００１８】
このように、同じ包装体に両者を入れておくと、載置体を取り出す際にその載置体を組み付けるための道具が一度に取り出すことができ便利である。また、表示部を載置体から保護する包装体を、道具に対しても兼用できるため、複数の包装体を使用せずともよく部品点数を削減することが可能である。
【００１９】
平面表示装置を組み付ける際には、開梱し各部品を取り出した後に組み付けるのが一般的であるが、載置体は平面表示装置を支える土台となる部分であるため、載置体を組み付ける時には必ず組みつけられる側を持ち上げて浮かせた状態にしなければならない。また、このとき、平面表示装置には画面があるため画面を傷つけるわけにはいかない。
【００２０】
したがって、表示部を浮かせた状態にして保持し、載置体を容易に組み付けることができるようにすることが望ましい。
【００２１】
そこで、上記した平面表示装置の梱包装置を、前記平面表示装置の後面を鉛直下方に向けて水平になるよう載置した状態で、前記平面表示装置に前記載置体を組み付けたときに、前記載置体の後端が前記平面表示装置の後面と対向する面に対して所定の距離離間するように前記平面表示装置を支持する緩衝体を備えたものとする。
【００２２】
或いは、上記した平面表示装置の梱包装置を、前記平面表示装置の前面を鉛直下方に向けて水平になるよう載置した状態で、前記平面表示装置に前記載置体を組み付けたときに、前記載置体の前端が前記平面表示装置の前面と対向することになる面に対して所定の距離離間するように前記平面表示装置を支持する緩衝体を備えたものとする。
【００２３】
このように形成することにより、表示部を床に置くことなく、緩衝体を用いて表示部を支えながら載置体を取付けることができるため、組み付けが容易になるとともに、組み付け時に画面が床に接触する虞がなく、画面に傷がつき表示品位が低下することを防止することが可能である。
【００２４】
【発明の実施の形態】
〔実施の形態１〕
本発明の実施の形態１について図１〜図１２を用いて説明する。本発明の図１は、梱包装置の外観にかかる斜視図であり、図２は梱包装置に平面表示装置を収容した状態で梱包装置の外殻の一面を開き開梱した状態を示す斜視図である。
【００２５】
梱包装置１は、例えばボール紙のような軽量の材料を直方体状に形成した外殻２を備えており、外殻２の少なくとも１面は容易に開くことができるようにされている。また、外殻２の内部には、平面表示装置１０を衝撃などから保護するための左右一対の緩衝体３、４が収容される。
【００２６】
緩衝体３、４は、例えば、ダンボール、発泡スチロール、ウレタンなど緩衝作用を有する材料から形成されており、一面に平面表示装置１０の側部を挿入可能な凹部を備えている。
【００２７】
そして、外殻２の内側の所定位置に緩衝体３、４を収容した状態にしたときに、緩衝体３、４と、平面表示装置１０の後面、及び外殻２とにより囲まれる空間には、平面表示装置１０の載置体が収容された包装体５が収容されている。
【００２８】
平面表示装置１０は、図３に示すように形成されるものである。図３の（ａ）は載置体１４が組みつけられた状態を示す平面表示装置１０の上面図であり、（ｂ）は同正面図であり、（ｃ）は同側面図であり、（ｄ）は同底面図を示している。
【００２９】
その構成について説明すると、平面表示装置１０は、主に、画像を表示する画面３０を有する平面状の表示部１１と、水平方向を軸として表示部１１を回転可能に保持する回転機構１２と、表示部１１の後面に設けられ表示部１１の下端が接地しないように支えるため所定の長さを有する棒状の脚部１３と、脚部１３に装着され平面表示装置１０を倒れないように支える載置体１４と、を備えている。
【００３０】
この載置体１４は、表示部１１が前方或いは後方に倒れることを防止するため、表示部１１の厚みよりも前後方向に長く形成されるものであり、その長さは転倒角（転倒角とは平面表示装置の重心Ｇから鉛直下方に引いた線Ｘと、該重心Ｇと載置体１４の前端又は後端との為す角度をいう。また、重心Ｇと載置体１４の前端とが為す角をΘ１、重心Ｇと載置体１４の後端とが為す角Θ２と称することとする（図３（ｃ）参照））が前後とも１５度以上になるよう形成されている。
【００３１】
また、載置体１４は、平面表示装置１０の脚部１３の下端に嵌合する凹部が設けられており、この凹部に脚部１３を挿入した後、螺子等の係止手段１７により係止することにより載置体１４と脚部１３とを着脱可能に形成されている。そして、梱包装置１に梱包されるときは、この載置体１４は平面表示装置１０から取り外された状態にされるとともに、包装体５で包装され表示部１１と略平行に収容される。
【００３２】
このように、載置体１４を平面表示装置１０から取り外し、梱包装置１に表示部１１と略平行に収容することにより、梱包状態において、ともに平面状に大きい部材である表示部と載置体とが直交する状態で収容されないため、図４に示すように、従来例と比較して外殻２の一辺が大きくならず梱包状態におけるデッドスペースを軽減することが可能である。
【００３３】
そして、包装体５には、載置体１４を脚部１３に係止する際の係止手段１７、及びその係止動作を補助するドライバー等の取り付け具１６が載置体１４とともに収容されている。
【００３４】
このように載置体１４を取り付ける際に必要な道具を、包装体５に同梱しておくことにより、載置体を取り出す際にその載置体を組み付けるための道具が一度に取り出すことができ便利である。また、表示部を載置体から保護する包装体を、道具に対しても兼用できるため、複数の包装体を使用せずともよく部品点数を削減することが可能である。
【００３５】
次に、梱包装置１を開梱し、平面表示装置１０に載置体１４を取り付けて、平面表示装置１０を視聴する状態にするまでの流れについて、使用者が製品を購入し自ら組み付ける場合を対象に、図５から図１２を用いて説明する。
【００３６】
図５は、梱包装置１内に平面表示装置１０が梱包された状態を示す図であり、製品として出荷された後は、この状態で運搬され、この状態で販売されるものである。
【００３７】
図５の状態の製品を購入した使用者は、図６に示すように、表示部１１の画面３０が天井側（つまり、表示部１１の後面が床側）を向くように梱包装置１を倒し、梱包装置１の外殻２の下面を開く。
【００３８】
そして、図７に示すように包装体５を外殻２より引き出し、包装体５を取り出して図８に示す状態とする。このとき、平面表示装置１０は平面表示装置を支えうる強度を有する緩衝体３、４に保持されているため、包装体５が梱包装置１内に有るか否かに拘らず、梱包時の位置と略同じ位置を保つようになっている。
【００３９】
その後、図９に示すように、包装体５から載置体１４を取り出すとともに、載置体１４を脚部１３に取り付けるための取り付け具１６及び係止手段１７（図９では不図示）を包装体５から取り出す。
【００４０】
次に、図１０に示すように、緩衝体３、４を平面表示装置１０とともに、一部引き出し、載置体１４を脚部１３に装着した際に、載置体１４の上端が外殻２の下端に接触しないようにする。そして、包装体５から取り出した載置体１４を、その後側が床側、その前側が天井側になるようにし、脚部１３と載置体１４を係止するための位置調整を行う。
【００４１】
このとき、載置体１４の後端が床面に接してしまうと作業が困難となるため、緩衝体３、４が平面表示装置１０を保持している高さを、載置体１４を脚部１３に装着した際に載置体の後端が床に設置しないようになっている。これによって、載置体１４を脚部１３に装着するときに、載置体１４が床面に接触せず取り付け動作をスムーズに行うことができる。
【００４２】
位置調整を完了すると、取り付け具１６により係止手段１７を係止する動作を行い、載置体１４を脚部１３に強固に固定する。このようにして、図１１に示すように、載置体１４は平面表示装置１０は組みつけられる。このとき、載置体１４の下面は、緩衝体３、４の下面より下方に突出した状態になるようになる。
【００４３】
そして、図１２に示すように、載置体１４を組み付けた状態の平面表示装置１０を外殻２ごと起こし、載置体１４の下面を床面に接触させ平面表示装置１０を使用するときの載置状態とする。
【００４４】
次に、外殻２を取り外すとともに、緩衝体３、４を平面表示装置１０の側部から取り外せば作業は完了する。
【００４５】
このとき、上記に示したように、載置体１４の下面が緩衝体３、４の下面より下方に突出しているため、緩衝体３、４を平面表示装置１０より外す際に、床面に緩衝体３、４が接することがなく、取り外しが容易である。また、それによって、不意に平面表示装置１０が転倒することが無く安全である。
【００４６】
なお、上記の組み付けについては次のように組み付けてもよい。すなわち、図１０においては、緩衝体３、４を平面表示装置１０とともに、一部引き出しているが、一部を引き出すのではなく、全部を引き出してしまってもよい。
【００４７】
そして、このときはその後の作業工程が若干変化し、図１１かかる工程において、緩衝体３、４が装着された平面表示装置１０を外殻２とともに起こす作業に変わって、緩衝体３，４が装着された平面表示装置１０のみを起こすようになり、さらに、図１２にかかる工程において、外殻２を取り外す作業が無くなるという違いが生じることになる。
【００４８】
また、緩衝体３、４は別体として記載したが、一部が連結されていたり、分割可能に一体化されていたりしてもよい。
【００４９】
以上に示した実施の形態については、さらに種々の変形を加え得る。そこで、以下にその変形例を実施の形態２〜実施の形態３として説明する。なお、実施の形態２〜実施の形態３については、実施の形態１との相違点のみ記載し、同一の構成については同一の符号を付し説明を省略する。
【００５０】
〔実施の形態２〕
実施の形態２は、図１３に示すように、載置体１４を脚部１３に取り付ける際に、画面３０を鉛直上方（図１０参照）に向けるのではなく鉛直下方に向けて床面に対向するよう配置して取り付けるものである。
【００５１】
この場合は、平面表示装置１０の前面を鉛直下方に向けて水平になるよう載置した状態で、平面表示装置１０に載置体１４を組み付けたときに、載置体１４の前端が平面表示装置１０の前面と対向している面に対して離間するように緩衝体３、４により平面表示装置１０を支持するよう形成する。また、包装体５（不図示）を収容する場所は平面表示装置１０の後面側ではなく、前面側に収容するようにする。
【００５２】
このように形成しても、載置体１４を平面表示装置１０に組み付ける際に、載置体１４の前端が床面に接触することがなく、組み付け作業の容易性を保つことができる。ただし、包装体５が画面３０側に収容されることになるため、包装体５と画面３０の間に緩衝体を挿入する等して、画面３０を保護しておく必要が生じ得る。
【００５３】
〔実施の形態３〕
次に、実施の形態１の緩衝体３、４に変形を加えたものについて、実施の形態３として図１４及び図１５を用いて説明する。この実施の形態３が実施の形態１と異なるのは次の点である。すなわち、実施の形態１においては緩衝体３、４は、載置体１４を脚部１３に取り付ける作業を行うとき、平面表示装置１０を支えるに過ぎないものであったが、実施の形態３においてはそれに加えて、緩衝体３，４に載置体１４を脚部１３に取り付ける際に載置体１４を取り付け位置に導くためのガイド部３１を設けるものとしている点が異なる。
【００５４】
図１４は、そのガイド部を設けた緩衝体４３、４４の一例を示す外観斜視図であり、図１５は、その緩衝体を用いて載置体１４を脚部１３に取り付けた状態を示す斜視図である。
【００５５】
図１４に示すように、緩衝体４３には、緩衝体４４配置側の面から該面とは相対位置にある面に向かって、載置体１４の外周の形状に対応した形状に切りとられたガイド部３１が形成されるとともに、緩衝体４４には、同様に、緩衝体４３配置側の面から該面とは相対側にある面に向かって、載置体１４の外周の形状に対応した形状に一段掘り下げられたガイド部３１が形成されている。
【００５６】
載置体１４を脚部１３に取り付ける際にこのガイド部３１を用いることにより、位置あわせがしやすく、組み付け作業を容易にすることができる。
【００５７】
【発明の効果】
以上に示したとおり、本発明によると、平面状の表示部と、該表示部が転倒しないように支えるための載置体とを備えた平面表示装置を梱包する梱包装置において、前記表示部と前記載置体とを分離した状態で、前記表示部と平行に前記載置体を収容することを特徴とする平面表示装置の梱包装置をその構成とすることにより、平面状に大きい部材である表示部と載置体とが直交する状態で収容されないため、外殻の一辺が大きくならず梱包状態におけるデッドスペースを軽減することが可能である。
【００５８】
また、上記の梱包装置において、前記載置体は、前記表示部の後面と対向して収容されることを特徴とするものとすれば、輸送中或いは載置体を梱包から取り出す作業時に、載置体が表示部の画面に接触しないため載置体が表示部に傷をつけることがない。
【００５９】
そして、前記載置体を包装する包装体を設け、該包装体に前記載置体を組み付けるための組み付け具を内包するようにすれば、載置体を取り出す際にその載置体を組み付けるための道具が一度に取り出すことができ便利である。また、表示部を載置体から保護する包装体を、道具に対しても兼用できるため、複数の包装体を使用せずともよく部品点数を削減することが可能である。
【００６０】
さらに、前記平面表示装置の後面を鉛直下方に向けて水平になるよう載置した状態で、前記平面表示装置に前記載置体を組み付けたときに、前記載置体の後端が前記平面表示装置の後面と対向する面に対して所定の距離離間するように前記平面表示装置を支持する緩衝体によって平面表示装置を梱包装置内で保持するようにすると、組み付けが容易になるとともに、組み付け時に画面が床に接触する虞がない。
【００６１】
またさらに、前記平面表示装置の前面を鉛直下方に向けて水平になるよう載置した状態で、前記平面表示装置に前記載置体を組み付けたときに、前記載置体の前端が前記平面表示装置の前面と対向する面に対して所定の距離離間するように前記平面表示装置を支持する緩衝体とすることにより、組み付けが容易になるとともに、組み付け時に画面が床に接触する虞がない。
【００６２】
そしてさらに、前記緩衝体を、前記載置体を平面表示装置に組み付ける際のガイドとなるガイド部を備えているものとすることにより、より組み付けを容易にすることができる。
【図面の簡単な説明】
【図１】本発明の実施の形態１にかかる平面表示装置の梱包装置の外観斜視図である。
【図２】図１の梱包装置に平面表示装置を収容した状態で梱包装置の外殻の一面を開き開梱した状態を示す斜視図である。
【図３】本発明にかかる平面表示装置の概略構成を示す斜視図である。
【図４】本発明の実施の形態１にかかる梱包装置に平面表示装置が収容された状態における断面図である。
【図５】本発明の梱包装置内に平面表示装置が梱包された状態を示す斜視図である。
【図６】図５の梱包装置の外殻の下面を開き、表示部の画面が天井側を向くように梱包装置を倒した状態を示す説明図である。
【図７】図６の状態から、包装体を引き出す方向を示す説明図である。
【図８】図６の状態から、包装体を引き出した状態を示す説明図である。
【図９】図８の状態から、包装体より載置体を取出す様子を示す説明図である。
【図１０】図９の状態から、載置体を平面表示装置に係止手段により取り付ける様子を示す説明図である。
【図１１】図１０の状態から、載置体を平面表示装置に取り付ける作業が完了した状態を示す説明図である。
【図１２】図１１の状態から、平面表示装置及び外殻を起こした状態を示す説明図である。
【図１３】本発明の実施の形態２にかかる平面表示装置の梱包装置の組み立て状態を示す斜視図である。
【図１４】本発明の実施の形態３にかかる緩衝体の外観斜視図である。
【図１５】図１４の緩衝体を用いて載置体を脚部に取り付けた状態を示す斜視図である。
【図１６】従来の平面表示装置の構成を示す側面図である。
【図１７】従来の平面表示装置の梱包装置を示す断面図である。
【図１８】特許文献１に記載された平面表示装置を示す外観図である。
【符号の説明】
１　梱包装置
２　外殻
３、４　緩衝体
５　包装体
１０　平面表示装置
１１　表示部
１２　回転機構
１３　脚部
１４　載置体
１６　取り付け具
１７　係止手段
３０　画面
３１　ガイド部
４３、４４　緩衝体
【図１】
2004123200.tif 000003
【図２】
2004123200.tif 000004
【図３】
2004123200.tif 000005
【図４】
2004123200.tif 000006
【図５】
2004123200.tif 000007
【図６】
2004123200.tif 000008
【図７】
2004123200.tif 000009
【図８】
2004123200.tif 000010
【図９】
2004123200.tif 000011
【図１０】
2004123200.tif 000012
【図１１】
2004123200.tif 000013
【図１２】
2004123200.tif 000014
【図１３】
2004123200.tif 000015
【図１４】
2004123200.tif 000016
【図１５】
2004123200.tif 000017
【図１６】
2004123200.tif 000018
【図１７】
2004123200.tif 000019
【図１８】
2004123200.tif 000020